(57)【特許請求の範囲】
【請求項１】
ＩＰネットワークを介して着信する着信呼に含まれる音声信号及び映像信号を記録して、当該記録された音声信号及び映像信号を読み出し再生するＩＰ留守番電話装置であって、
前記着信呼を受信する受信部と当該着信呼から前記音声信号及び映像信号を抽出して記録する記録部とからなる受信記録手段と、
前記音声信号と前記映像信号との着信時間差を検出して当該差分時間を記憶する差分時間検出記憶手段と、
前記音声信号及び映像信号を前記受信記録手段から読み出して再生する際に、前記差分時間検出記憶手段から前記差分時間を読み出してこれに応じた遅延量を与えつつ読取り音声信号と読取り映像信号とを再生する読取再生手段と、を含むことを特徴とするＩＰ留守番電話装置。
【請求項２】
前記受信記録手段は、前記音声信号と前記映像信号の各々に互いに対応するインデックス番号を付加するインデックス番号付加部を含み、
前記読取再生手段は、前記インデックス番号に応じて前記遅延量の大きさを定めることを特徴とする請求項１に記載のＩＰ留守番電話装置。
【請求項３】
前記記録部は、内部記録部と外部記録部とを含み、
前記記録部は、前記内部記録部に前記音声信号を記録し、前記外部記憶部に前記映像信号を記録することを特徴とする請求項２に記載のＩＰ留守番電話装置。
【請求項４】
前記内部記録部は、少なくとも前記受信記録手段を囲むハウジング内に設けられ、
前記外部記録部は、前記ハウジング外に取り出し可能であることを特徴とする請求項3
に記載のＩＰ留守番電話装置。
【発明の詳細な説明】
【技術分野】
【０００１】
本発明は、ＩＰ（インターネット・プロトコル）電話システムにおける、着信呼に含まれる音声信号及び映像信号を記録／再生するＩＰ留守番電話装置に関する。
【背景技術】
【０００２】
近年、インターネットなどのＩＰネットワークを利用したいわゆるＩＰ電話システムが広く普及している。このようなＩＰ電話システムに用いられる電話機にはＧ．７１１等の規格による音声データ通信のみならず、例えば、ＭＰＥＧ４等の規格に準拠する映像データの通信を同時に行うことが可能ないわゆるＩＰテレビ電話機も普及しつつある。さらに、かかるＩＰテレビ電話機のなかには、電話機ユーザの不在中に着信した着信呼に含まれる発信者の音声や映像等のデータを記録する、いわゆる留守番電話機能を備えた装置も増えつつある。一般に、このような留守番電話機能を備えたＩＰテレビ電話装置（以下、単に“ＩＰ留守電装置”という）では、同装置の内部に具備されたメモリに着信呼に含まれている発呼者の音声データと映像データの各々が記録される。
【０００３】
ＩＰ電話システムでは、通常、音声データと映像データのそれぞれは、異なるデータパケットによってＩＰネットワーク上を伝送されるので、音声データと映像データの各々のパケットが電話装置に同時に受信されるとは限らない。また、各々のデータの復号化処理に要する処理時間の相違から、音声データと映像データとの再生タイミングに時間差が生じることもある。そこで、ＩＰテレビ電話機における音声データと映像データとの間に生じるこのような時間ズレを補正すべく、例えば、特許文献１に記載されたような技術が開示されている。
【０００４】
ところで、ＩＰ留守電装置の実際の使用を考えた場合、例えば、送信側のユーザが音声のみによる留守録音を行っているときに、急に、映像による留守録画を思い立って送信側機器のカメラデバイスの電源を立ち上げるようなことがある。しかしながら、上述の従来技術では、このような実際の運用において生じ得るユーザの恣意的な動作による時間ズレを考慮していない。
【０００５】
したがって、このような事態が生ずると、ＩＰ留守電装置に録音・録画されたデータを再生する際に録音音声と録画映像とが同時に再生出力されることになり、再生された音声と再生された映像との間に時間的な不整合が生じるという問題があった。
【特許文献１】特開平６−２３７４４３号公報
【発明の開示】
【発明が解決しようとする課題】
【０００６】
本発明は、このような問題を解決するためになされたものであり、ＩＰ電話システムにおいて留守番電話機能を使用した際の録音・録画データの再生時における音声と映像とを同期させるＩＰ留守電装置を提供する。
【課題を解決するための手段】
【０００７】
本発明は、ＩＰネットワークを介して着信する着信呼に含まれる音声信号及び映像信号を記録して、当該記録された音声信号及び映像信号を読み出し再生するＩＰ留守番電話装置であって、前記着信呼を受信する受信部と当該着信呼から前記音声信号及び映像信号を抽出して記録する記録部とからなる受信記録手段と、前記音声信号と前記映像信号との着信時間差を検出して当該差分時間を記憶する差分時間検出記憶手段と、前記音声信号及び映像信号を前記受信記録手段から読み出して再生する際に、前記差分時間検出記憶手段から前記差分時間を読み出してこれに応じた遅延量を与えつつ読取り音声信号と読取り映像信号とを再生する読取再生手段と、を含むことを特徴とする。
【発明を実施するための最良の形態】
【０００８】
【実施例１】
【０００９】
本発明によるＩＰ留守電装置の第１の実施例を図１に示す。
【００１０】
同図において、ＩＰ留守電装置１００は、同装置ユーザの不在時にインターネット等のＩＰネットワークを介して相手側装置（図示せず）から着信した音声データや映像データを内部のメモリに記録し、その後ユーザの操作によって、記録したデータを再生する機能を有している。
【００１１】
ＩＰ留守電装置１００において、映像パケット受信部１０１は、ＩＰネットワークを介して相手側装置から送られてくる映像符号化データを含むパケットを受信して、同パケットから映像符号化データＶＥを抽出する回路である。音声パケット受信部１０２は、同様に、相手側装置から送られてくる音声符号化データを含むパケットを受信して同パケットから音声符号化データＳＥを抽出する回路である。
【００１２】
また、映像データ復号化部１０３は、映像パケット受信部１０１から供給される映像符号化データＶＥを所定の手順で復号して映像信号ＶＳを得るデコード回路である。同様に、音声データ復号化部１０４は、音声パケット受信部１０２から供給される音声符号化データＳＥを復号して音声信号ＳＳを得るデコード回路である。
【００１３】
映像出力部１０５は、上記の映像信号ＶＳを、例えば、ＣＲＴや液晶ディスプレイパネル等の表示機器に表示出力する回路である。また、音声出力部１０６は、上記の音声信号ＳＳを、例えば、スピーカやハンドセット内蔵のイヤーフォンなどの音響機器に出力する回路である。
【００１４】
また、パケット受信時間差分算出部１０７（以下、単に“差分算出部１０７”という）は、ＩＰ留守電装置１００において留守番電話機能がセットされている場合に、同装置が相手側からの音声パケットの受信を開始した時間と、相手側からの映像パケットの受信を開始した時間との差分時間を算出して、かかる時間差情報Ｔを、留守番電話に関する諸データ記憶部１０８（以下、単に“留守電データ記憶部１０８”という）に供給する回路である。
【００１５】
留守電データ記憶部１０８は、ＩＰ留守電装置１００における留守番電話機能がセットされている場合に、映像パケット受信部１０１から供給される映像符号化データＶＥ、音声パケット受信部１０２から供給される音声符号化データＳＥ、及び差分算出部１０７から供給される時間差情報Ｔの各々のデータを記憶するメモリ回路である。なお、留守電データ記憶部１０８に受信データを記録する際に、映像符号化データＶＥ、及び音声符号化データＳＥは、それぞれパケットヘッダが付加された状態で記憶されるようにしても良い。但し、この場合は、これらの記憶データを映像データ復号化部１０３、或いは音声データ復号化部１０４に出力する段階で各々のパケットヘッダを取り除く必要がある。
【００１６】
また、留守番電話記録機能設定スイッチ部１１０（以下、単に“記録スイッチ部１１０”という）は、ＩＰ留守電装置１００のユーザによってオン／オフされるスイッチ群であり、同装置の留守番電話機能をセットするときに全てオンにされ、同機能を解除するときに全てオフとされる。一方、留守番電話再生機能設定スイッチ部１１１（以下、単に“再生スイッチ部１１１”という）は、同じく、ＩＰ留守電装置１００のユーザによってオン／オフされるスイッチ群であり、ユーザが同装置に記録された音声データ及び映像データの再生を行う際に全てのスイッチがオンにされ、それ以外のときに全てオフとされる。
【００１７】
留守番電話記録データ再生部１０９（以下、単に“留守電データ再生部１０９”という）
は、再生スイッチ部１１１がオンにセットされ、留守電データ記憶部１０８に記憶されていた、映像符号化データＶｅ、音声符号化データＳｅ、及び時間差情報ｔの各々のデータの供給を受けると、これらのデータを基にして映像データ復号化部１０３、及び音声データ復号化部１０４に供給する映像符号化データＶｅｅ、音声符号化データＳｅｅを生成する回路である。
【００１８】
次に、ＩＰ留守電装置１００における録音・録画時の動作について、図１に示したブロック図、及び図２に示す動作フローチャートを参照しつつ説明を行う。
【００１９】
ＩＰ留守電装置１００にＩＰネットワークを介して相手側装置から着信があると、図２のフローチャートに示される着信処理動作が開始される。
【００２０】
先ず、同図のステップＳ２０１において、ＩＰ留守電装置１００に留守番電話機能がセットされているか否かの判定が行われる。かかる判定は、例えば、同装置のユーザが記録スイッチ部１１０をオンにしているか、或いはオフにしているかを示すフラグ等を参照して判定するようにしても良い。
【００２１】
ステップＳ２０１において、同機能がセットされていないと判定されたときは、ステップＳ２０２に移行して通常の着信処理が実行される。なお、かかる通常着信処理は、本発明の実施と直接の関係がないためその詳細な説明を省略する。ステップＳ２０２の通常着信処理が終了すると、図２のフローチャートに示される動作処理も終了する。
【００２２】
一方、ステップＳ２０１において留守番電話機能がセットされていると判定された場合は、ステップＳ２０３の留守番応答処理に移行して、例えば、相手側に対する音声ガイダンス送出等の処理動作が実行される。そして、続くステップＳ２０４において差分タイマのカウント値がリセットされ、相手側から送られてくるデータパケットの受信を待つ待機状態に入る。
【００２３】
ここで差分タイマとは、相手側から送られてくる音声パケットと映像パケットとの受信開始時間の差を計測して表示するタイマカウンタであり、そのカウント値は、ステップＳ２０４において０にリセットされる。なお、同タイマに関する処理は、主に図１の差分算出部１０７において行われる。
【００２４】
次に、相手側からのデータパケットを受信すると、ステップＳ２０５において、受信したパケットに音声及び映像の両パケットが含まれているか否かの判定が行われる。同ステップにおいて、両パケットが含まれていると判定された場合はステップＳ２０６に移行する。そして、映像パケット受信部１０１、音声パケット受信部１０２によって、それぞれの受信パケットから抽出された映像符号化データＶＥ、及び音声符号化データＳＥが逐次、留守電データ記憶部１０８に記録される。その後、相手側からの全てのデータパケットを受信して終わると、図２のフローチャートに示された処理動作を終了させる。
【００２５】
なお、この場合、差分タイマのカウント値も時間差情報Ｔとして、映像符号化データＶＥ、及び音声符号化データＳＥと共に留守電データ記憶部１０８に記憶されるが、時間差情報Ｔの値は、ステップＳ２０４においてリセットされているので０のままである。
【００２６】
一方、ステップＳ２０５において、受信したデータパケットに音声及び映像の両パケットが共に含まれていないと判定された場合、つまり受信データに音声または映像の何れかのデータパケットしか含まれていない場合はステップＳ２０７に移行する。そして、映像パケット受信部１０１または音声パケット受信部１０２によって、受信パケットから抽出された映像符号化データＶＥまたは音声符号化データＳＥの何れかが、留守電データ記憶部１０８に録音または録画される。また、同ステップにおいて映像または音声の何れかのデータの記録が開始されると、差分算出部１０７は差分タイマのカウンタをスタートさせる。
【００２７】
ＩＰ留守電装置１００は、続くステップＳ２０８において、未受信である音声または映像パケットの到来を監視して、未受信である何れかのパケットの受信が確認された時点で差分タイマのカウンタを停止させる（ステップＳ２０９）。そして、ステップＳ２１０に移行すると、映像パケット受信部１０１、及び音声パケット受信部１０２により受信パケットから抽出された映像符号化データＶＥ、及び音声符号化データＳＥのそれぞれが、留守電データ記憶部１０８に録音並びに録画される。その後、相手側からの全てのデータを受信して終わると、図２のフローチャートに示された処理動作を終了させる。なお、かかる場合も、差分タイマのカウント値は時間差情報Ｔとして、映像符号化データＶＥ、及び音声符号化データＳＥと共に留守電データ記憶部１０８に記憶される。
【００２８】
次に、本実施例のＩＰ留守電装置における再生時の動作について、図１に示したブロック図、及び図３に示す動作タイムチャートを参照しつつ説明する。
【００２９】
先ず、ＩＰ留守電装置１００のユーザが再生スイッチ部１１１をオンにすると、留守電データ記憶部１０８に記録されていた、映像符号化データＶｅ、音声符号化データＳｅ、及び時間差情報ｔの各々のデータが留守電データ再生部１０９に伝送される。なお、時間差情報ｔが上記の差分タイマのカウント値に相当するものであることは言うまでもない。
【００３０】
留守電データ再生部１０９では、これらのデータを基にして映像データ復号化部１０３、及び音声データ復号化部１０４に供給する映像符号化データＶｅｅ、音声符号化データＳｅｅを生成する。
【００３１】
ここで、相手側からの音声パケットの受信を開始した後、１０秒経過後に映像パケットを受信した場合を例に採って具体的な説明を行う。この場合、図３ａに示す如く、録音の開始と録画の開始の間には１０秒の時間差が存在するが、かかる時間差は、差分タイマのカウント値である時間差情報ｔ＝１０秒として留守電データ記憶部１０８に記録されている。再生時において、留守電データ再生部１０９は、映像符号化データＶｅｅと音声符号化データＳｅｅとの間にかかる時間差（１０秒）を設けて、各々のデータを映像データ復号化部１０３、及び音声データ復号化部１０４のそれぞれに供給する。
【００３２】
これによって、図３ｂに示す如く、記録データの再生時に再生音声のＡ２部分と再生映像のＶ２部分とが時間軸上で記録時と同じ位置で一致することになり、留守録データの再生時におけるユーザの違和感を払拭することができる。
【実施例２】
【００３３】
次に、本発明によるＩＰ留守電装置の第２の実施例を図４に示す。
【００３４】
同図において、ＩＰ留守電装置２００は、第１実施例と同様にユーザの不在時にインターネット等のＩＰネットワークを介して相手側装置（図示せず）から着信した音声データを装置内部のメモリに、映像データを装置外部のメモリにそれぞれ記録し、その後ユーザの操作によって、記録した両データを再生する機能を有している。
【００３５】
ＩＰ留守電装置に限らず、通常の留守番電話機能を備えた装置においては、装置内部のメモリに音声データと映像データを記憶させることが一般的である。しかしながら、映像データを記録する場合には、音声データの場合と比較して大容量のメモリが必要とされる。このため、映像データの記録はオプション機能として設定して、映像データの録画を望むユーザはＩＰ留守電装置に外部メモリを装着して録画を行うことができるが、かかる構成に限定されないことは明らかある。
【００３６】
なお、図２のＩＰ留守電装置２００において、映像パケット受信部１０１、音声パケット受信部１０２、映像データ復号化部１０３、音声データ復号化部１０４、映像出力部１０５、音声出力部１０６、差分算出部１０７、記録スイッチ部１１０、及び再生スイッチ部１１１については、図１に示された第１実施例の場合と同じであるためその説明は省略する。
【００３７】
ＩＰ留守電装置２００において、インデックス番号割付部２１２は、同装置に留守番電話機能が設定されている場合に、同一の着信呼に含まれる映像符号化データＶＥと音声符号化データＳＥに共通のインデックス番号Ｉを割り付ける回路である。
【００３８】
留守番電話音声データ記憶部２０８（以下、単に“音声記憶部２０８”という）は、同装置に留守番電話機能が設定されている場合に、音声符号化データＳＥ、及び当該音声符号化データＳＥと対応した映像符号化データＶＥに共通して割り当てられたインデックス番号Ｉを記憶する回路である。なお、音声符号化データＳＥは、そのパケットヘッダが付加された状態で音声記憶部２０８に記憶するようにしても良いし、或いは、パケットヘッダを除いた状態で記憶するようにしても良い。但し、パケットヘッダが付加された状態で記憶した場合は、再生時において音声データ復号化部１０４に供給される前段において、当該パケットヘッダを除去することが必要である。
【００３９】
留守番電話映像データ記憶部２１３（以下、単に“映像記憶部２１３”という）は、同装置に留守番電話機能が設定されている場合に、映像符号化データＶＥ、及び当該映像符号化データＶＥと対応した音声符号化データＳＥに共通して割り当てられたインデックス番号Ｉを記憶する。
【００４０】
上記の音声記憶部２０８は、映像パケット受信部１０１や音声パケット受信部１０２等のＩＰ留守電装置２００の各構成部と同一のハウジング内、即ち、ＩＰ留守電装置２００の筐体の内部に設けられているが、映像記憶部２１３は、同ハウジングに対して着脱自在、若しくは収納取り出し可能な外部記憶媒体としても良い。外部記憶媒体としては、例えば、データの書き込み／読み出しが可能なメモリカード、若しくは同様の機能を有するメモリ・スティックのような可搬型の記憶媒体などが考えられる。
【００４１】
なお、音声符号化データＳＥは、そのパケットヘッダが付加された状態で映像記憶部２１３に記憶するようにしても良いし、或いは、パケットヘッダを除いた状態で記憶するようにしても良い。但し、パケットヘッダが付加された状態で記憶した場合は、再生時において映像データ復号化部１０３に供給される前段において、当該パケットヘッダを除去することが必要である。
【００４２】
留守番電話記録データ再生部２０９（以下、単に“留守電データ再生部２０９”という）は、録音・録画データの再生時に共通のインデックス番号を割り付けられた音声符号化データＳｅと映像符号化データＶｅとを、音声記憶部２０８と映像記憶部２１３のそれぞれから抽出する回路である。さらに、留守電データ再生部２０９は、第１実施例の場合と同様に、時間差情報に基づいて時間差を設けた音声符号化データＳｅｅと映像符号化データＶｅｅとを生成して、これらのデータを映像復号化部１０３と音声復号化部１０４の各々に供給する。
【００４３】
本実施例の動作処理については、記録時に割り当てられたインデックス番号に基づいて再生時に共通のインデックス番号が付加された音声データと映像データが抽出される点で第１実施例と異なるのみであり、その記録・再生時の処理動作は前述の図３、４で説明したものと同じであるためその説明を省略する。
【００４４】
以上に説明したように、本実施例によれば、同一若しくは対応するインデックス番号を付加することにより音声データと映像データとを対応付けて管理することができるので、各々のデータを異なるメモリ領域に記憶した場合でも第１実施例のときと同様の効果を得ることができる。
【図面の簡単な説明】
【００４５】
【図１】図１は、本発明の第１の実施例によるＩＰ留守番電話装置の構成を示すブロック図である。
【図２】図２は、図１のＩＰ留守番電話装置におけるデータ記録時の処理動作を示すフローチャートである。
【図３】図３は、図１のＩＰ留守番電話装置におけるデータ再生時の処理動作を示すタイムチャートである。
【図４】図４は、本発明の第２の実施例によるＩＰ留守番電話装置の構成を示すブロック図である。
【符号の説明】
【００４６】
１００、２００      ＩＰ留守番電話装置
１０１      映像パケット受信部
１０２      音声パケット受信部
１０３      映像データ復号化部
１０４      音声データ復号化部
１０５      映像出力部
１０６      音声出力部
１０７      パケット受信時間差分算出部
１０８      留守電データ記憶部
１０９、２０９      留守電データ再生部
１１０      記録スイッチ部
１１１      再生スイッチ部
２０８      音声データ記憶部
２１２      インデックス番号割付部
２１３      映像データ記憶部
【図１】
0004502959.tif 000002
【図２】
0004502959.tif 000003
【図３】
0004502959.tif 000004
【図４】
0004502959.tif 000005